(57)【特許請求の範囲】
【請求項１】
保持体から等間隔に下方向に向かって複数配列された棒部材と、
各棒部材の下方先端の中心から半径方向に延出するように設けられ園芸用ポットの内面側から保持する把持部材と、
前記保持体と把持部材の間であって、前記半径方向に延出した把持部材が通り抜けられない大きさの開口が前記棒部材に対応する位置に設けられている押圧部材とを備えたことを特徴とするポット移載装置。
【請求項２】
前記押圧部材が、縦横線部による格子目を前記開口とした網状平面体であることを特徴とする請求項１記載のポット移載装置。
【発明の詳細な説明】
【技術分野】
【０００１】
本発明は、ポットを一度に移し替えることのできるポット移載装置に関するものである。
【背景技術】
【０００２】
園芸用植物の栽培や流通の現場においては、移植又は出荷などにおいて、薄肉の軟質樹脂で形成された園芸用ポットを空状態で作業用トレイ内に並べる移載作業が行われる。作業トレイは複数のカゴを行列状に有しており、各ポットは夫々のカゴに移載される。
【０００３】
複数のポットを作業トレイに一度に移し替えることのできる装置として、例えば特許文献１には、ポットの内面に圧入される弾性材料からなる複数の把持部材と、把持部材を等間隔位置に整列保持する保持枠と、把持部材より下方へ変位しポットを押し出して把持部材から解放させる複数の押出部材と、押出部材を把持部材と同じ間隔で整列支持する支持枠と、該支持枠及び前記保持枠を上下方向へ相対移動可能に組み付ける組付手段とを備えた移載装置が開示されている。
【０００４】
また、本出願人による特許文献２に開示されたポット移載装置によれば、トレイ上に透孔を設けた平面体を設置し、ポットを把持したまま把持部材を平面体の透孔を通してトレイにポットを置き、把持部材を透孔から抜き去る際に、透孔にポットが引っ掛かりトレイ上に残している。
【先行技術文献】
【特許文献】
【０００５】
【特許文献１】特許第３３８７０６７号公報
【特許文献２】実登録３１５７７８４号公報
【発明の概要】
【発明が解決しようとする課題】
【０００６】
上記の特許文献１の移載装置では、把持部材より下方へ変位する押出部材をポットごとに設けなければならず、このことが装置を複雑化させる。また、特許文献２のポット移載装置によれば、機構が簡単なため軽い装置とすることができるが、トレイ上に平面体を設置する手順が必要となる。
本発明は、構造を簡易化させかつポット移載の手順を簡素化させることのできるポット移載装置を提供することを目的とする。
【課題を解決するための手段】
【０００７】
上記の課題を解決するために、本発明のポット移載装置は、保持体から等間隔に下方向に向かって複数配列された棒部材と、各棒部材の下方先端の中心から半径方向に延出するように設けられ園芸用ポットの内面側から保持する把持部材と、前記保持体と把持部材の間であって、前記半径方向に延出した把持部材が通り抜けられない大きさの開口が前記棒部材に対応する位置に設けられている押圧部材とを備えたことを特徴とする。
【発明の効果】
【０００８】
本発明によれば、ポットを把持部材から解放させるための機構の構造が簡易とすることできる。重量が軽減されるとともに、作業手順も簡素化させて使用できるものとなる。
【図面の簡単な説明】
【０００９】
【図１】本発明に係るポット移載装置の斜視図である。
【図２】上記ポット移載装置の組み立て図ある。
【図３】上記ポット移載装置の使用状態を示す図である。
【発明を実施するための形態】
【００１０】
以下、本発明の実施の形態を図面に基づいて説明する。
図１及び図２に示すように、本例のポット移載装置１００は、ポットを把持するための複数の把持部材１と、棒部材６を下方に向けて行列状に多数を固定した保持体２と、これら把持部材１と保持体２との間に配置された押圧部材３とを備えている。
【００１１】
各把持部材１はスポンジ５ａ、５ｂであり、棒部材6の下方先端から半径方向に放射状に延出させて固定して、平面視において十字クロスを描いている。保持体２は、２本の直線状の縦向きのアングル部材７ａ、７ｂ、１本の縦向きの四角筒部材７ｃ、６本の横向きの四角筒部材７ｄを水平面に沿わせて交叉させ結合させて構成している。
【００１２】
把持部材１は、保持体２の下面に棒部材6がネジを介して固定されており、２４個の把持部材１が６行４列の等間隔に固定されている。各把持部材１はポットｐ内にこれの開口から押し込まれるものであり、棒部材６の先端から保持体２の下面までの距離ｄ１は、把持部材１がポットｐの底部にまで圧入されるに十分な大きさである。
【００１３】
各把持部材１はポットｐの内方下部に押し込まれたとき、スポンジ５ａ、５ｂが圧縮変形され、弾性復元力でポットｐを把持する。またこのように押し込まれた把持部材１がポットｐから引き抜かれたときには、ポットｐが上拡がり形状であるため、ポットが抜け落ちる。
【００１４】
押圧部材３は、網状平面体であり、四角枠体８内で縦線部９ａと横線部９ｂとが交差して格子目となる開口ｈを形成している。この開口ｈの平面視大きさは、ポットｐの開口縁ｐ３で囲まれた領域のそれよりも小さい。また、この開口ｈの対向する縁は、十字にクロスさせたスポンジ５ａ、５ｂが平面内で張り出した長さｄ２よりも短い間隔にある。各把持部材１は、対応する１つの開口ｈを通して保持体２の下面に固定されている。このため、押圧部材３は、把持部材１と保持体２との間に、保持されることになる。
【００１５】
押圧部材３は、開口ｈ以外の箇所にも、これよりも小さな穴部ｋを有した網状平板となっている。これは、格子目の穴部を設けて押圧部材３の重量を軽減するためであり、また、押圧部材３の使用中においてこの押圧部材３よりも下側の様子を目視可能とするためである。また、保持体２の上面の中央部に固定された縦向き四角筒部材７ｃには保持体２、押圧部材３及び把持部材１などを一体状に持ち上げるためのハンドル１１が設けられている。
【００１６】
次に上記ポット移載装置１００の使用例及び各部の作用について図３を用いて説明する。
ポット移載装置１００（図３Ａ）を、行列状に多層積みされたポット（図３Ｂ）対して、各把持部材１が各ポットｐの真上になるように位置させ、把持部材１をポットｐ内に押し込む。これにより、各把持部材１はポットｐの周壁部ｐ２に押されて、その底面ｐ１近傍に到達する。このとき、把持部材１は下細り状のポットｐの周壁部ｐ２で圧縮されて、弾性復元力によりポットｐを把持した状態となる。一方で、各ポットｐの開口縁ｐ３が押圧部材３を押し上げる。
【００１７】
次に作業者はハンドル１１を持ってポット移載装置１００を引き上げ(図３Ｃ)、移し替え先側の空のトレイｔ（図３Ｄ）上に位置させ降下させる。各把持部材１で把持された各ポットｐがトレイｔの各凹み部（カゴ）ｔ１に位置した状態としたとき、押圧部材３を保持体２に対し下に押し込む。各把持部材１に把持されたポットｐの開口縁ｐ３に対して、押圧部材３の開口ｈが圧接され、各ポットｐと把持部材１との間で相対移動が生ずる。これにより、ポットｐを把持していた把持部材１がポットｐから強制的に引き抜かれる（図３Ｅ）。
【００１８】
本実施例によれば、把持部材１に把持されたポットｐを把持部材１から解放させるための機構の構造が簡易となり、移載装置１００の製造コストが低減されると共に重量が軽減されて使い勝手のよいものとなる。
【００１９】
上記実施例において把持部材１はスポンジ５ａ、５ｂを用いたがこの他に、弾性を有する金属線材又は金属帯材或いは、粘着性を有するシリコンなどで形成したものであってもよい。また、ポットｐと当接する箇所に、ヤスリを貼り付けても良い。
【００２０】
また、押圧部材３は、開口ｈを設けたものを利用したが、ポットｐの開口縁ｐ３を上から押し込むものであればよく、例えば、四角枠体８内を縦線部９ａのみで構成しても良い。この場合、開口ｈがスリット状となるため、把持部材３が縦線部９ａの隙間をすり抜けてしまい、押圧部材３と保持体２との位置関係が大きくずれてしまうので、適当な位置で、横線部９ｂを部分的に追加する。
【符号の説明】
【００２１】
１ 把持部材
２ 保持体
３ 押圧部材
６ 棒部材
ｐ 園芸用ポット
ｐ３ 開口縁（上縁）
【図１】
0005503054.tif 000002
【図２】
0005503054.tif 000003
【図３】
0005503054.tif 000004